(57)【要約】  【課題】高所又は低所における作業を行なうにあたり、揺れずに安定して作業者が安心して作業を行なうことが可能な高低所作業等用吊腰掛の提供。  【解決手段】高低所作業等用吊腰掛α１を、背柱１の下端前方に片持張出して搭乗者が着席する座席部２１を搭載した下部支持材２と、背柱１の上端にて別途用意された他の吊り上げ装置βに懸吊可能に下部支持材２と並行相対峙して前方に片持張出した上部支持材３と、背柱１の下部支持材２と上部支持材３との間の両側前方にそれぞれ片持張出されて搭乗者の上半身両側を保持し落下を防止する安全ベルト４１が座降解放先端間に一端を着脱自在に連設された湾曲形落下防止手摺４と、を具備し、背柱１に対して下部支持材２と上部支持材３と落下防止手摺４とがそれぞれ背柱１前方同方向に側面Ｅ字状に突出して構成される特徴的構成手段の採用。  【選択図】図１
2006069235.tif 000002
【特許請求の範囲】
【請求項１】
背柱の下端前方に片持張出して搭乗者が着席する座席部を搭載した下部支持材と、
当該背柱の上端にて別途用意された他の吊り上げ装置に懸吊可能に当該下部支持材と並行相対峙して前方に片持張出した上部支持材と、
前記背柱の当該下部支持材と当該上部支持材との間の両側前方にそれぞれ片持張出されて前記搭乗者の上半身両側を保持し落下を防止する安全ベルトが座降解放先端間に一端を着脱自在に連設された湾曲形落下防止手摺と、を具備し、
前記背柱に対して前記下部支持材と前記上部支持材と前記落下防止手摺とがそれぞれ当該背柱前方同方向に側面Ｅ字状に突出して構成される、
ことを特徴とする高低所作業等用吊腰掛。
【請求項２】
前記下部支持材と前記上部支持材は、
前記背柱に対して片持部内側を蝶着する支点部を介在させて、当該支点部を介して上下内側方向にのみ折りたたみ収納可能に構成される、
ことを特徴とする請求項１に記載の高低所作業等用吊腰掛。
【請求項３】
前記下部支持材と前記上部支持材は、
前記背柱となす最開内側隅角部両側間に亙ってそれぞれ最緊張し各一端を当該背柱のそれぞれ両側に止着した紐状連結体の各他端をそれぞれ両側に止着するとともに、
前記内側隅角部の最開角度以上の展開を阻止するよう前記片持部外側にアングルストッパを設けてなる、
ことを特徴とする請求項２に記載の高低所作業等用吊腰掛。
【請求項４】
前記落下防止手摺は、
前記背柱の背面側に片持部下側を当該背柱に蝶着する支点部を介在させて当該支点部を介して上方にのみ折りたたみ収納可能に構成される、
ことを特徴とする請求項１、２又は３に記載の高低所作業等用吊腰掛。
【請求項５】
前記座席部は、
下面に収納箱を付設する、
ことを特徴とする請求項１、２、３又は４に記載の高低所作業等用吊腰掛。
【発明の詳細な説明】
【技術分野】
【０００１】
本発明は、高低所作業等用吊腰掛に係わり、詳しくは、クレーン等の吊り上げ装置に懸吊されて搭乗者を着席させたまま高所又は低所における植木剪定や救出等作業を安全に行なうことを可能とする高低所作業等用吊腰掛に関する。
【背景技術】
【０００２】
従来、高所における作業には、対象物付近あるいは対象物等に直接立て掛けた脚立や梯子等に作業者が直接昇りこの脚立や梯子等の上で所要の作業を行なうようにしていた。また、移動式クレーン等のクレーンのジブ先端に立ったまま作業が出来る大型のゴンドラを直接接続させたものや、ジブ先端からワイヤ等を利用して同様大型ゴンドラを吊り下げた場合には、作業者がこのゴンドラ内に立ったまま搭乗して所定高さまで移動させた後に所要の作業を行なうようにしていた。
【発明の開示】
【発明が解決しようとする課題】
【０００３】
しかしながら、脚立や梯子は高くなるほどに不安定であり、倒れやすく、また、傾斜地や設置面に移動できない物体等が置かれていた場合には、設置すること自体が困難なものであり、作業者にとって大変不安定で危険な足場となっていた。しかも、その延長可能な高さには限界があり、気軽に所要高さでの作業を行なうことは不可能なものであった。
【０００４】
一方、移動式クレーン等のクレーンのジブ先端にゴンドラを直接搭載させた場合には、ゴンドラが接続されたジブの可動領域に障害物がある場所や、障害物等に阻まれてクレーンの運転者から目視できない場所や、障害物間に挟まれた場所、穴や崖下等のクレーンよりも低い場所等にゴンドラを位置調節することも不可能であった。また、ゴンドラ自体が大型のため、狭い場所への位置調節は難しく、しかも、ゴンドラ自体がとても高価なものとなってしまっていた。
【０００５】
また、ジブ先端からワイヤ等でゴンドラを吊り下げた場合には、作業者はゴンドラ内で立ったまま作業することになるため、足に力を入れて踏張り、長時間の連続作業では足が疲れ、作業者の体が動くことでゴンドラ全体が揺れ動き、作業者が安心して作業を続行することができるものではなかった。
【０００６】
ここにおいて、本発明の解決すべき主要な目的は、次のとおりである。
【０００７】
即ち、本発明の第１の目的は、高所又は低所における作業を行なうにあたり、揺れずに安定して作業者が安心して作業を行なうことを可能とする高低所作業等用吊腰掛を提供せんとするものである。
【０００８】
本発明の第２の目的は、所要位置に的確に位置調節することが可能な高低所作業等用吊腰掛を提供せんとするものである。
【０００９】
本発明の第３の目的は、従来と比較して小型かつ簡易に構成可能かつ折りたたみ可能とする高低所作業等用吊腰掛を提供せんとするものである。
【００１０】
本発明の他の目的は、明細書、図面、特に、特許請求の範囲の各請求項の記載から、自ずと明らかになろう。
【課題を解決するための手段】
【００１１】
まず、本発明においては、腰掛姿勢で各種作業が可能とするため、別途用意された他の吊り上げ装置に懸吊されて、背柱に対して下部支持材と上部支持材と落下防止手摺とがそれぞれ当該背柱前方同方向に側面Ｅ字状に突出して構成される、という特徴的構成手段を講じる。
【００１２】
さらに、具体的詳細に述べると、当該課題の解決では、本発明が次に列挙する上位概念から下位概念に亙る新規な特徴的構成手段を採用することにより、前記目的を達成するよう為される。
【００１３】
即ち、本発明の第１の特徴は、背柱の下端前方に片持張出して搭乗者が着席する座席部を搭載した下部支持材と、当該背柱の上端にて別途用意された他の吊り上げ装置に懸吊可能に当該下部支持材と並行相対峙して前方に片持張出した上部支持材と、前記背柱の当該下部支持材と当該上部支持材との間の両側前方にそれぞれ片持張出されて前記搭乗者の上半身両側を保持し落下を防止する安全ベルトが座降解放先端間に一端を着脱自在に連設された湾曲形落下防止手摺と、を具備し、前記背柱に対して前記下部支持材と前記上部支持材と前記落下防止手摺とがそれぞれ当該背柱前方同方向に側面Ｅ字状に突出して構成されてなる、高低所作業等用吊腰掛の構成採用にある。
【００１４】
本発明の第２の特徴は、上記本発明の第１の特徴における前記下部支持材と前記上部支持材が、前記背柱に対して片持部内側を蝶着する支点部を介在させて、当該支点部を介して上下内側方向にのみ折りたたみ収納可能に構成されてなる、高低所作業等用吊腰掛の構成採用にある。
【００１５】
本発明の第３の特徴は、上記本発明の第２の特徴における前記下部支持材と前記上部支持材が、前記背柱となす最開内側隅角部両側間に亙ってそれぞれ最緊張し各一端を当該背柱のそれぞれ両側に止着した紐状連結体の各他端をそれぞれ両側に止着するとともに、前記内側隅角部の最開角度以上の展開を阻止するよう前記片持部外側にアングルストッパを設けてなる、高低所作業等用吊腰掛の構成採用にある。
【００１６】
本発明の第４の特徴は、上記本発明の第１、第２又は第３の特徴における前記落下防止手摺が、前記背柱の背面側に片持部下側を当該背柱に蝶着する支点部を介在させて当該支点部を介して上方にのみ折りたたみ収納可能に構成されてなる、高低所作業等用吊腰掛の構成採用にある。
【００１７】
本発明の第５の特徴は、上記本発明の第１、第２、第３又は第４の特徴における前記座席部が、下面に収納箱を付設してなる、高低所作業等用吊腰掛の構成採用にある。
【発明の効果】
【００１８】
本発明によれば、搭乗者は、高所又は低所における作業を着席したまま安定した姿勢で揺れずに安心して行なうことができ、長時間の連続作業でも疲れが少ない。また、その躯体が従来のゴンドラ等と比較してコンパクトであることからクレーンからの着脱も簡単であるとともに、さらに上方から吊り下げられる構成により、障害物に挟まれた場所への位置調節や、コンパクトな躯体を前後反転させることでクレーンに対して反対面側に向かっての作業も容易に実施することが可能である。これにより、建物、車、草花他、作業の障害となるものを破損することなく、所要高さの対象物に対して所定の作業を行なうことが可能となる。
【００１９】
また、搭乗者自身がクレーンをリモコン操作等により運転可能にした場合、クレーン位置からは目視できない、例えば、橋下や崖下等の場所への位置調節も可能であり、さらに、簡易又は折りたたみ可能な構成を実現したことから、持ち運び、保管が容易であるとともに安価で構成することが可能である。
【発明を実施するための最良の形態】
【００２０】
以下、本発明の実施の形態につき、添付の図面を参照しつつ、第１乃至第２実施形態例を順に挙げて説明する。
【００２１】
（第１実施形態例）
図１は、本発明の実施形態例である第１実施形態例に係る高低所作業等用吊腰掛α１を示す外観斜視図であり、一部波線にて省略して示している。
【００２２】
同図に示すように、本実施形態例に係る高低所作業等用吊腰掛α１は、背柱１の下端に前方直角に片持張出して搭乗者が着席する座席部２１を搭載した下部支持材２と、この背柱１の上端にて別途用意されたクレーンやホイスト等の他の吊り上げ装置βに懸吊可能に下部支持材２と並行相対峙して前方直角に片持張出した上部支持材３と、背柱１の下部支持材２と上部支持材３との間の両側に前方水平に片持張出されて搭乗者両側の上半身を保持し落下を防止する安全ベルト４１が座降解放先端間に一端を着脱自在に連設された湾曲形肘掛状落下防止手摺４と、を具備して構成される。
【００２３】
よって、高低所作業等用吊腰掛α１は、下部支持材２と上部支持材３と落下防止手摺４とが、それぞれ背柱１に、例えば、溶接等により溶着されて、それぞれ背柱１前方同方向に側面Ｅ字状に突出して構成されて、高所又は低所において作業を行なう搭乗者を座席部２１に腰掛け搭乗させたまま、例えば、吊り上げ装置βのフック９１等に上部支持材３に接続されたワイヤやフック、リング等の懸吊手段３１を介して吊り上げることが可能となる。
【００２４】
なお、背柱１と下部支持材２と上部支持材３と落下防止手摺４とは、十分な強度と軽さを兼ね備えた、例えば、ステンレスやアルミニウム等の金属パイプ等で構成されるとよく、また、落下防止手摺４に連設された安全ベルト４１は、高所又は低所作業中の搭乗者の命綱となるものであり、その着脱にはカラビナ４２等を採用することにより、安全かつ確実に着脱可能とすることができる。
【００２５】
さらに、下部支持材２と上部支持材３とは、背柱１との間でそれぞれ必要な強度を維持させるために、それぞれ背柱１となすその内側隅角部において、それぞれ側面両側から挟み込むように筋交２２，２３，３２，３３を有するようにすることもできる。
【００２６】
また、高低所作業等用吊腰掛α１は、搭乗者が対象物に接触してその搭乗者正面となる向きの回転を行なってもよいが、所要の回転を可能とする対象物又は障害物等がない場合には、例えば、吊り上げ装置βのフック９１等に搭乗者が引っ張ることのできる吊腰掛回転用紐体９４，９５を具備させておき、搭乗者は、この吊腰掛回転用紐体９４又は９５を引っ張ることで、着席したまま所要の方向に高低所作業等用吊腰掛α１を回転させて、例えば、吊り上げ装置βと対面となる方向やその反対方向等、高低所作業等用吊腰掛α１の搭乗者の正面となる向きを自由に回転調節することが可能となる。
【００２７】
（第２実施形態例）
次に、図２は、本発明の実施形態例である第２実施形態例に係る高低所作業等用吊腰掛α２を示す外観側面図であり、同図（ａ）は、側面Ｅ字状を為したときの外観側面図を、同図（ｂ）は、同図（ａ）に示した矢印方向にそれぞれ折りたたみ収納された際の外観側面図である。
【００２８】
同図に示すように、高低所作業等用吊腰掛α２は、基本的に高低所作業等用吊腰掛α１が折りたたみ収納可能に構成されたものであり、高低所作業等用吊腰掛α１と同様に背柱５と下部支持材６と上部支持材７と落下防止手摺８とを具備して構成されて、図１に示したものと同一又は同等な構成要素の詳細な説明については省略するものとする。
【００２９】
ここで、同図（ａ）に示すように、折りたたみ収納可能に構成された高低所作業等用吊腰掛α２の下部支持材６と上部支持材７とのうちの１以上の、例えば、下部支持材６は、背柱５に対して片持部６ａ上向内側を蝶着する支点部６１を介在させて、この支点部６１を介して図中矢印の示す上方内側方向にのみ折たたまれて、同図（ｂ）に示すように折りたたみ収納可能に構成される。
【００３０】
さらに、この下部支持材６は、背柱５となす最開内側隅角部ｒ間に亙って最緊張し各一端を背柱５の両側に止着した、例えば、鎖紐やワイヤーロープ等のそれぞれ紐状連結体６２，６３の各他端をそれぞれ両側に止着するとともに、内側隅角部ｒの最開角度以上の展開を阻止するよう片持部６ａ下向外側にアングルストッパ６４を設けてなるとよい。
【００３１】
一方、上部支持材７を折りたたみ可能に構成する場合には、上部支持材７は、背柱５に対して片持部７ａ下向内側を蝶着する支点部７２を介在させて、この支点部７２を介して図中矢印の示す下方内側方向にのみ折たたまれて、同図（ｂ）に示すように、折りたたみ収納可能に構成させて、さらに、例えば、鎖紐やワイヤロープのように連結した紐状連結体６２，６３に対応する紐状連結体７３，７４とアングルストッパ６４に対応する片持部７ａ上向外側に設けたアングルストッパ７５とを具備するようにしても構わない。なお、折りたたみ収納可能に構成された上部支持材７は、側面Ｅ字状をなすよう内側隅角部ｒの最開角度まで展開させたときに、支点部７２、紐状連結体７３，７４又はアングルストッパ７５でこの最開角度にて固定可能にするとよい。
【００３２】
ここでは、アングルストッパ６４，７５を、同図（ｂ）に示すように、下部支持材６と上部支持材７とにそれぞれ固定して、同図（ａ）に示すように、背柱５に接触するようにして説明したものの、これに限定されるものではなく、対応する背柱５の下部と上部の１以上に直接固定して、下部支持材６又は上部支持材７が所定角度にて接触するようにしても構わない。
【００３３】
他方、落下防止手摺８が折りたたみ収納可能に構成されたときには、落下防止手摺８は、背柱５の背面側に片持部８ａ下側を背柱５に蝶着する支点部８１を介在させてこの支点部８１を介して上方にのみ折りたたみ収納可能に構成されるとよく、これにより落下防止手摺８は、展開時には、下方へは背柱５に対して垂直付近の所定角度以上に展開されないよう背柱５の背面側で背柱５と落下防止手摺８とが接触して、搭乗者が安全確保のために上半身体重を下方にかけたときにも安全に腰掛搭乗者の上半身両側を受止めて搭乗者の落下を防止することができる。
【００３４】
なお、下部支持材６は、搭乗者が着席する座席部を搭載したまま折りたたみ収納可能に構成されてもよいが、座席部は下部支持材６から別途取り外されるようにして、この座席部が取り外された下部支持材６を折りたたみ収納可能に構成することもできる。また、上部支持材７の懸吊手段７１としてリング形状のものを示したがこれに限定されるものではない。
【実施例】
【００３５】
引続いて、本発明高低所作業等用吊腰掛α１，α２の使用態様を説明するための実施例について説明する。なお、以下では、高低所作業等用吊腰掛α１について説明するものの、これに限定されるものではなく、高低所作業等用吊腰掛α２により実施するものであっても構わない。
【００３６】
図３は、本発明の実施例に係る高低所作業等用吊腰掛α１の使用態様を示す説明図である。
【００３７】
同図に示すように、高低所作業等用吊腰掛α１を懸吊する別途用意された他の吊り上げ装置βとして移動式クレーンβ１に懸吊させた場合には、例えば、移動式クレーンβ１のジブ先端９３から吊り下げられたワイヤ９２先端のフック９１と高低所作業等用吊腰掛α１の懸吊手段３１とが接続されることで、高低所作業等用吊腰掛α１が移動式クレーンβ１に懸吊される。
【００３８】
このとき、例えば、クレーン操作リモコン９６によりクレーンを操作するようにした場合には、移動式クレーンβ１のフック９１の位置調節操作を搭乗者γ自身がクレーン操作リモコン９６を用いて高低所作業等用吊腰掛α１に搭乗したまま行なうことが可能となり、移動式クレーンβ１のクレーン車両９７からでは目視できない、例えば、木々や建築物間の隙間や、橋下、崖下等に高低所作業等用吊腰掛α１を調節して、木々や果樹の剪定や、建築物の塗装、高所又は低所における清掃、高所又は低所での工事、高所又は低所での消防活動・救出活動、高所又は低所における撮影等、高所又は低所における所要の作業を所要の位置にて行なうことが可能となる。
【００３９】
なお、移動式クレーンβ１のフック９１の位置調節操作はクレーン操作リモコン９６によるものに限定されるものではなく、クレーン車両９７にて待機する別の操作者が目視により操作するものや、この待機操作者に対して高低所作業等用吊腰掛α１上から搭乗者γがマイク等を利用して誘導指示するものであっても構わない。
【００４０】
また、座席部２１の下面に、搭乗者の高所又は低所における作業に用いられる各種器具や安全のためのロープ等を収納可能な収納箱２４を付設するようにしてもよく、これにより搭乗者は限られたスペースのみとなる高所又は低所にて、所要の道具を効率よく取出あるいは収納を可能にして、搭乗者が複数の道具を利用可能とするとともに、これら道具を常に把持していなければならないという危険な状態や、これら道具の落下の危険を避けて高所又は低所における作業をより安全なものとすることができる。
【００４１】
以上のように構成された高低所作業等用吊腰掛α１では、搭乗者γを座らせた姿勢のままその搭乗者γの両足を木や壁等の対象物δに着地させるようにすることができ、これにより、搭乗者γは、例えば、ガラス拭きのブランコ等と同様にして非常に安定した姿勢を保持することが可能となり、揺れずに安定した姿勢を維持して高所又は低所での作業を安全に行なうことが可能となる。
【００４２】
しかも、バンド等で搭乗者γの上半身を固定するものでも、また、搭乗者γの上半身を吊り上げるものではないことから、搭乗者γは、作業の妨げになるような姿勢の拘束を受けずに上半身を自由に動かして作業を行なうことができる。
【００４３】
さらに、図４は、本発明の他の実施例に係る高低所作業等用吊腰掛α１の他の使用態様を示す説明図である。
【００４４】
同図に示すように、高低所作業等用吊腰掛α１を懸吊する別途用意された他の吊り上げ装置βとして災害救助用等のヘリコプターβ２に懸吊させた場合には、例えば、ヘリコプターβ２に搭載されたホイスト等により、ヘリコプターβ２の平行移動に加えて高低所作業等用吊腰掛α１を上方からのワイヤ９２の上下位置調節を行なうようにすることもできる。
【００４５】
このとき、高低所作業等用吊腰掛α１は、搭乗者γとして、救助隊員γ１等に加えて被救助者γ２をともに搭乗可能に構成されることで、安全確実に救助活動を行なうようにすることができる。
【００４６】
以上、本発明の実施の形態につき、その第１乃至第２実施形態例及び実施例を順次挙げて説明したが、本発明は、必ずしも上述した手段にのみ限定されるものではなく、前述した効果を有する範囲内において、適宜、変更実施することが可能なものである。
【００４７】
例えば、本実施形態例では、背柱１と下部支持材２と上部支持材３とを角柱状に示して説明したものの、例えば、円筒形状のパイプや平板形状等により構成することも可能である。また、両側落下防止手摺４，８は一体であっても別々であっても構わない。
【図面の簡単な説明】
【００４８】
【図１】本発明の実施形態例である第１実施形態例に係る高低所作業等用吊腰掛α１を示す外観斜視図である。
【図２】本発明の実施形態例である第２実施形態例に係る高低所作業等用吊腰掛α２を示す外観側面図であり、同図（ａ）は、側面Ｅ字状を為したときの外観側面図を、同図（ｂ）は、同図（ａ）に示した矢印方向にそれぞれ折りたたみ収納された際の外観側面図である。
【図３】本発明の実施例に係る高低所作業等用吊腰掛α１の使用態様を示す説明図である。
【図４】図４は、本発明の他の実施例に係る高低所作業等用吊腰掛α１の他の使用態様を示す説明図である。
【符号の説明】
【００４９】
α１，α２…高低所作業等用吊腰掛
β…吊り上げ装置
β１…移動式クレーン
β２…ヘリコプター
γ…搭乗者
γ１…救助隊員
γ２…被救助者
δ…対象物
１，５…背柱
２，６…下部支持材
２１…座席部
２２，２３，３２，３３…筋交
２４…収納箱
３，７…上部支持材
３１，７１…懸吊手段
４，８…落下防止手摺
４１…安全ベルト
４２…カラビナ
６１，７２，８１…支点部
６２，６３，７３，７４…紐状連結体
６４，７５…アングルストッパ
６ａ，７ａ，８ａ…片持部
９１…フック
９２…ワイヤ
９３…ジブ先端
９４，９５…吊腰掛回転用紐体
９６…クレーン操作リモコン
９７…クレーン車両
ｒ…内側隅角部
【図１】
2006069235.tif 000003
【図２】
2006069235.tif 000004
【図３】
2006069235.tif 000005
【図４】
2006069235.tif 000006